(57)【要約】【課題】フィルバルブへの異物侵入を確実に防止することができ、大きな振動や衝撃でも落下を防止することができるフィルバルブの防塵構造を提供する。【解決手段】グリースを供給する注入口１が形成されたニップル２を形成する。該ニップル２の奥にグリースの逆流を防止する逆止弁３を形成する。ニップル２の先端部２Ａに接して注入口１を封止する封止板４を設ける。該封止板４の周囲からニップル２の側面を囲む円筒状の固定管５を設ける。固定管５を貫通しニップル２の側面に圧着固定する固定ねじ６を設ける。【選択図】  図１
2017096295.tif 000002
【特許請求の範囲】
【請求項１】
グリースを供給する注入口が形成されたニップルと、該ニップルの奥にグリースの逆流を防止する逆止弁とを備えたフィルバルブにおいて、ニップルの先端部に接して注入口を封止する封止板と、該封止板の周囲からニップルの側面を囲む円筒状の固定管と、固定管を貫通しニップルの側面に圧着固定する固定ねじとを備えたことを特徴とするフィルバルブの防塵構造。
【請求項２】
前記封止板は、前記ニップルの前記先端部に接する側に前記注入口の内部に嵌入せしめる嵌入突起が突設された請求項１記載のフィルバルブの防塵構造。
【請求項３】
前記ニップルは、前記先端部から後方に向けて広がるテーパー側面と、該テーパー側面に隣接する窪部とを備えた形状を成し、該テーパー側面の外周に嵌合する嵌合面を前記固定管の内側面に形成すると共に、前記封止板が前記注入口を封止したときに前記固定ねじの先端を窪部に圧着するように構成した請求項１又は２記載のフィルバルブの防塵構造。
【請求項４】
前記ニップルは、前記窪部から前記ニップルの後方に向けて広がり工具で把持するように形成された六角部と、該六角部に前記固定管の解放端部を嵌入する嵌合溝とが形成され、前記固定管の外側面に工具を係止する係止凹部を形成して嵌合溝から解放端部を取り外すように構成した請求項３記載のフィルバルブの防塵構造。
【発明の詳細な説明】
【技術分野】
【０００１】
本発明は、建設機械や泥濘地作業車のクローラーに装着されているフィルバルブに土砂等の異物の侵入を防止するフィルバルブの防塵構造に関するものである。
【背景技術】
【０００２】
建設機械や泥濘地作業車等の作業環境は、泥濘地はもとより、土砂層、粘土層、火山灰地層、石炭露天層などの地盤上をクローラーにて走行することが想定されている。一般的なグリスニップルは、ニップルの先端にボール状の逆止弁を配置しているが、建設機械や泥濘地作業車のクローラーには、逆止弁をニップルの奥に配置したフィルバルブと称する特殊なグリスニップルが使用されている。
【０００３】
ところが、劣悪な作業環境で使用すると、フィルバルブの先端に付着することが多く、そのままグリースを注入すると、グリースと共に土砂等の異物が内部に侵入してグリース漏れが生じる。その結果、クローラーに緩みが生じるなどの不具合が発生する。そのため、従来では、グリースを供給する前にフィルバルブの先端の異物を拭き落とすなどの洗浄作業が必要になっている。
【０００４】
そこで、特許文献１に記載のごとく、フィルバルブの泥詰まりを防止するグリスニップル保護装置が提案されている。この保護装置は、グリスニップルの周囲に保護凹部を形成し、この保護凹部の内部に円筒形のキャップ取付筒体を嵌着すると共に、キャップ取付筒体の開口部に泥除けキャップを嵌着したものである。
【先行技術文献】
【特許文献】
【０００５】
【特許文献１】特開２００８‐９５７７５号公報
【発明の概要】
【発明が解決しようとする課題】
【０００６】
ところが、特許文献１記載の保護装置では、保護凹部の内部に合成樹脂のキャップ取付筒体を嵌め込んで装着するので、建設機械や泥濘地作業車に生じる大きな振動が加わり、土砂等がこのキャップ取付筒体に衝突すると、キャップ取付筒体が簡単に落下し、キャップが開いてしまう虞がある。
【０００７】
しかも、フィルバルブの先端には、ボール状の逆止弁が配置されておらず、注入孔が常に開口した状態にあることから、この注入孔の内部に異物が侵入してグリース漏れが生じると、フィルバルブを分解して洗浄する作業が必要になる。ところが、この分解洗浄作業でも異物を除去することは極めて困難であり、グリース漏れを解消することはできない。特許文献１のキャップは、注入孔の先端から離れた部分を施蓋する構成なので、キャップ取付筒体やキャップの内側に僅かな異物が付着していると、震動等で異物がキャップ内で遊離して注入孔の内部に侵入する虞もある。
【０００８】
更に、特許文献１では、フィルバルブの周囲に保護凹部を形成しているので、この保護凹部からキャップ取付筒体が落下してしまうと、この保護凹部に異物が溜まり易い状態になり、保護凹部内の異物がフィルバルブを埋めてしまう虞もあった。
【０００９】
そこで本発明は上述の課題を解消すべく創出されたもので、建設機械や泥濘地作業車に使用されるフィルバルブに土砂等の異物侵入を確実に防止することができ、しかも、建設機械や泥濘地作業車に生じる大きな振動や衝撃でも落下を防止することができるフィルバルブの防塵構造の提供を目的とするものである。
【課題を解決するための手段】
【００１０】
上述の目的を達成すべく本発明における第１の手段は、グリースを供給する注入口１が形成されたニップル２と、該ニップル２の奥にグリースの逆流を防止する逆止弁３とを備えたフィルバルブにおいて、ニップル２の先端部２Ａに接して注入口１を封止する封止板４と、該封止板４の周囲からニップル２の側面を囲む円筒状の固定管５と、固定管５を貫通しニップル２の側面に圧着固定する固定ねじ６とを備えたことにある。
【００１１】
第２の手段の前記封止板４は、前記ニップル２の前記先端部２Ａに接する側に前記注入口１の内部に嵌入せしめる嵌入突起４Ａが突設されたものである。
【００１２】
第３の手段において、前記ニップル２は、前記先端部２Ａから後方に向けて広がるテーパー側面２Ｂと、該テーパー側面２Ｂに隣接する窪部２Ｃとを備えた形状を成し、該テーパー側面２Ｂの外周に嵌合する嵌合面５Ａを前記固定管５の内側面に形成すると共に、前記封止板４が前記注入口１を封止したときに前記固定ねじ６の先端を窪部２Ｃに圧着するように構成したものである。
【００１３】
第４の手段の前記ニップル２は、前記窪部２Ｃから前記ニップル２の後方に向けて広がり工具で把持するように形成された六角部２Ｄと、該六角部２Ｄに前記固定管５の解放端部５Ｂを嵌入する嵌合溝２Ｅとが形成され、前記固定管５の外側面に工具を係止する係止凹部５Ｃを形成して嵌合溝２Ｅから解放端部５Ｂを取り外すように構成したものである。
【発明の効果】
【００１４】
本発明の請求項１によると、ニップル２の先端部２Ａに接して注入口１を封止する封止板４を形成したことで、常に開口状態にあるフィルバルブの注入口１を確実に封止することができる。
【００１５】
しかも、封止板４の周囲からニップル２の側面を囲む円筒状の固定管５を貫通しニップル２の側面に圧着固定する固定ねじ６を備えたことにより、封止板４や固定管５を確実に固定することができ、大きな振動や衝撃に耐えることができる。この結果、建設機械や泥濘地作業車に生じる大きな振動が加わり、土砂等がこのキャップ取付筒体に衝突しても、固定管５が簡単に落下する虞はない。
【００１６】
請求項２のように、封止板４は、前記ニップル２の前記先端部２Ａに接する側に前記注入口１の内部に嵌入せしめる嵌入突起４Ａが突設されたものであるから、注入口１内への異物の侵入を確実に防止する。更に、この嵌入突起４Ａによって封止板４や固定管５の位置ずれを防止し、振動や衝撃による脱落防止力を高めることができる。
【００１７】
請求項３のように、ニップル２は、先端部２Ａから後方に向けて広がるテーパー側面２Ｂと、該テーパー側面２Ｂに隣接する窪部２Ｃとを備えた形状を成し、該テーパー側面２Ｂの外周に嵌合する嵌合面５Ａを固定管５の内側面に形成しているので、この嵌合面５Ａと封止板４とでニップル２の先端部分に密着して保護することができる。しかも、封止板４が注入口１を封止したときに固定ねじ６の先端を窪部２Ｃに圧着するように構成しているので、この窪部２Ｃが固定ねじ６の抜け止めとなり、極めて確実な固着力が得られる。
【００１８】
請求項４のごとく、ニップル２は、窪部２Ｃからニップル２の後方に向けて広がり工具で把持するように形成された六角部２Ｄと、該六角部２Ｄに固定管５の解放端部５Ｂを嵌入する嵌合溝２Ｅとが形成されているので、ニップル２と固定管５とを一体化した固定が可能になる。
【００１９】
しかも、嵌合溝２Ｅは肉厚の六角部２Ｄに形成しているので、この嵌合溝２Ｅによってニップル２の強度が落ちる虞もない。また、嵌合溝２Ｅに解放端部５Ｂを嵌合したままでも工具で六角部２Ｄを回転操作することができる。
【００２０】
更に、嵌合溝２Ｅに解放端部５Ｂを嵌合した固定管５の外側面に工具を係止する係止凹部５Ｃを形成して嵌合溝２Ｅから解放端部５Ｂを取り外すように構成しているので、嵌合溝２Ｅに嵌合した解放端部５Ｂを簡単に取り外すことができるものである。
【００２１】
このように本発明によると、建設機械や泥濘地作業車に使用されるフィルバルブに土砂等の異物侵入を確実に防止することができ、しかも、建設機械や泥濘地作業車に生じる大きな振動や衝撃でも落下を防止することができるなどといった当初の目的を達成した。
【図面の簡単な説明】
【００２２】
【図１】本発明の一実施例を示す縦断面図である。
【図２】本発明の一実施例を示す分解斜視図である。
【図３】本発明の要部を拡大した断面図である。
【図４】本発明の封止板の他の実施例を示す縦断面図である。
【発明を実施するための形態】
【００２３】
本発明防塵構造は、グリースを供給する注入口１が形成されたニップル２と、該ニップル２の奥にグリースの逆流を防止する逆止弁３とを備えたフィルバルブに使用されるもので、主な構成として、封止板４、固定管５、固定ねじ６を備えている（図１参照）。これらを構成する材質は、ステンレススチール等の金属材や、硬質プラスチック樹脂等の使用が可能である。
【００２４】
封止板４は、ニップル２の先端部２Ａに接して注入口１を封止する板状部材である（図３参照）。図示例では、ニップル２の先端部に当接する部位に直接封止板４の内側面を当接しているが、この当接部位に弾性材や緩衝材を介して当接させることで、ニップル２先端部の保護強化を図ることができる（図示せず）。図示のニップル２は、先端部２Ａから後方に向けて広がるテーパー側面２Ｂと、該テーパー側面２Ｂに隣接する窪部２Ｃとを備えた形状を成している（図２参照）。
【００２５】
更に、封止板４のニップル２の先端部２Ａに接する側に、注入口１の内部に嵌入せしめる嵌入突起４Ａを設けることも可能である（図４参照）。この嵌入突起４Ａは、注入口１内への異物の侵入を確実に防止すると共に、この嵌入突起４Ａによって封止板４や固定管５の位置ずれを防止する作用も奏する。
【００２６】
固定管５は、封止板４の周囲から一体形成された部材で、ニップル２の側面を囲む円筒状を成している（図２参照）。図示例では、固定管５の内側面に、テーパー側面２Ｂの外周に嵌合する嵌合面５Ａを形成している（図３参照）。この嵌合面５Ａと封止板４の内側面がニップル２の先端部を密接状態で包んでいる。したがって、仮に、密接部分に異物が僅かでも付着していると、この異物が妨げになってニップル２の先端部を堤込むことが困難になるものである。
【００２７】
固定ねじ６は、固定管５を貫通しニップル２の側面に圧着固定するネジ状部材である。この固定ねじ６の先端を窪部２Ｃに圧着するように構成している（図１参照）。図示の固定ねじ６は、マイナスドライバを使用するように、頭部にすり割りを設けたものである（図２参照）。すなわち、レンチ用の穴やプラスドライバ用の十字溝を頭部に設けると、粘土や土砂が頭部に付着した際に、レンチやプラスドライバの先端を挿入するのが困難になる。一方、すり割りなら、マイナスドライバの先端で内部の粘土や土砂を簡単に除去して固定ねじ６を回すことができる。
【００２８】
図示例のニップル２は、先端部２Ａからテーパー側面２Ｂと、窪部２Ｃとを連設すると共に、この窪部２Ｃからニップル２の後方に向けて広がり工具で把持するように形成された六角部２Ｄが設けられている。そして、この六角部２Ｄの全面側に嵌合溝２Ｅを形成し、後述する固定管５の解放端部５Ｂを嵌入するように設けることも可能である（図３参照）。このように嵌合溝２Ｅに解放端部５Ｂを嵌合した場合は、前記固定管５の外側面に形成した係止凹部５Ｃに工具を係止することで、嵌合溝２Ｅから解放端部５Ｂを取り外す作業を容易にしている。尚、これらの嵌合溝２Ｅや係止凹部５Ｃは、任意に設定できるものである。
【００２９】
フィルバルブは、ニップル２の奥にグリースの逆流を防止する逆止弁３を備えた構成を成している（図１参照）。図示例では、逆止ボール３Ａとコイルスプリング３Ｂとシールリング３Ｃとで構成した逆止弁３をニップル２の奥に一対配置したものである。またニップル２の対極部分にはオイルタンク等へ連結する連結シール部７を備えている。
【００３０】
尚、本発明の各構成は図示例に限定されるものではなく、例えば、封止板４や固定管５、固定ねじ６等の形状や構成、あるいはニップル２の形状などは、本発明の要旨を変更しない範囲で任意に変更することが可能である。
【符号の説明】
【００３１】
１  注入口
２  ニップル
２Ａ  先端部
２Ｂ  テーパー側面
２Ｃ  窪部
２Ｄ  六角部
３  逆止弁
３Ａ  逆止ボール
３Ｂ  コイルスプリング
３Ｃ  シールリング
４  封止板
４Ａ  嵌入突起
５  固定管
５ａ  ネジ孔
５Ａ  嵌合面
５Ｂ  解放端部
５Ｃ  係止凹部
６  固定ねじ
７  連結シール部
【図１】
2017096295.tif 000003
【図２】
2017096295.tif 000004
【図３】
2017096295.tif 000005
【図４】
2017096295.tif 000006